(57)【要約】【課題】釣れた魚を迅速に収容することができる生け簀として使用可能な軽量釣用バッグの提供。【解決手段】釣用バッグ１０は、バッグ本体１１、外蓋１４及び内蓋１５を備える。これらは樹脂シートから構成される。外蓋１４は、凹条４４、４５及びスナップ４７を備える。凹条４４、４５は、外蓋１４にプレス加工が施されることにより形成される。スナップ４７は、スタッド４８及びソケット４９、５０を有する。スタッド４８がソケット４９、５０に嵌合することにより、外蓋１４の一部が折り返された状態で安定的に保持される。内蓋１５は、曲線状の切欠部１６を備えている。切欠部１６はスライドファスナー５６によって開閉される。スライドファスナー５６は、２つのスライダー５７を備える。【選択図】図１
2014155478.tif 000002
【特許請求の範囲】
【請求項１】
上面に開口が設けられ且つ当該開口と連通する収容室が区画された容器状のバッグ本体と、
上記上面の長手方向に沿ってヒンジが形成され、当該上面を短手方向に開閉する可撓性を備えた外蓋と、
上記開口を開閉する内蓋とを有し、
上記外蓋の長手方向に沿って当該外蓋が折り曲げられるための凹条が形成されると共に当該外蓋が折り曲げられた状態を維持する折曲保持部が設けられており、
上記内蓋にスライドファスナーを介して開閉される曲線形状の切欠部が形成されており、
上記内蓋の一部は通水性のあるメッシュ構造を有する釣用バッグ。
【請求項２】
上記凹条が上記外蓋の短手方向に複数並設されており、少なくとも短手方向長さの１／４及び１／２の位置に配置されている請求項１に記載の釣用バッグ。
【請求項３】
上記外蓋の周縁部にパイピング加工が施されている請求項１又は２に記載の釣用バッグ。
【請求項４】
上記凹条は、プレス加工により上記外蓋の長手方向一端から他端まで形成されている請求項１から３のいずれかに記載の釣用バッグ。
【請求項５】
上記凹条の端部に発生する応力集中を緩和するための湾曲部が上記外蓋の縁部に形成されている請求項１から４のいずれかに記載の釣用バッグ。
【請求項６】
上記折曲保持部は、上記外蓋に設けられたスナップからなる請求項１から５のいずれかに記載の釣用バッグ。
【請求項７】
上記切欠部は、上記短手方向に湾曲しつつ上記長手方向の全域に延びる円弧状に形成されており、上記スライドファスナーは、複数のスライダーを備えている請求項１から６のいずれかに記載の釣用バッグ。
【請求項８】
上記内蓋は、スライドファスナーを介して上記バッグ本体に取り付けられており、上記開口を閉じた状態で上記バッグ本体の上面から上記収容室の内奥部に入り込んだ位置に配置されており、
上記長手方向に沿って上記内蓋にメジャーが表示されている請求項１から７のいずれかに記載の釣用バッグ。
【発明の詳細な説明】
【技術分野】
【０００１】
この発明は、魚釣りの際に使用される釣用バッグの構造に関するものである。
【背景技術】
【０００２】
釣れた魚の鮮度の低下を防止するため、釣れた魚は、直ちに血抜きされるよりも釣りが終了するまで生かされるべきである。また、釣れた魚を保存するためのクーラーボックスは一般に重いため、特に釣場が磯である場合には釣人にとって軽量の釣用バッグを携行するのが便利である。このようなニーズのもと、従来から、釣場では海水と共に釣れた魚を収容することができ、しかも帰港の際には容易に排水が可能な軽量の釣用バッグが提供されている（たとえば特許文献１参照）。
【０００３】
図１１は、特許文献１に開示された釣用バッグの外観図である。
【０００４】
この釣用バッグ１は、バッグ本体２、内蓋３及び外蓋４を有する。バッグ本体２の上面は開放され開口が形成されている。この開口を内蓋３が開閉する。外蓋４はトレイ状に形成されており、バッグ本体２の上面に取り付けられる。外蓋４が開放されることによって、同図が示すようにバッグ本体２の開口及び内蓋３が露出する。内蓋３はメッシュ生地からなり、ファスナーを介して開閉可能な切込部５が形成されている。バッグ本体２は、海水を溜めておくことができる。魚が釣れた場合、釣人は外蓋４を開放して内蓋３を露出させ、釣れた魚を切込部５を通じてバッグ本体２に収容する。
【０００５】
従来の釣用バッグ１は、軽量であるから持ち運びの際に釣人の負担が少ない。しかも、釣れた魚が容易に収容され、そのまま生かされる。さらに、帰港の際に、釣人は外蓋４を開放してバッグ本体２を傾ければ直ちに排水ができ、釣れた魚の血抜きが可能である。
【先行技術文献】
【特許文献】
【０００６】
【特許文献１】特開２００７−３１２６５４号公報
【発明の概要】
【発明が解決しようとする課題】
【０００７】
ところで、釣場の環境は常に穏やかではなく時として強風が吹き、波飛沫に見舞われることもある。魚が釣れた場合、釣人は外蓋４を開放して内蓋３の切込部５から魚を収容するが、外蓋がトレイ状に形成されているため、強風が吹く場合等では外蓋４が煽られてその開閉がままならないという不具合が生じる。かかる不具合は、釣人にとっては釣れた魚を釣用バッグに収容し難いという問題となり、特に限られれた時間内で釣果を競う競技釣りでは重大な問題となる。
【０００８】
本発明はかかる背景のもとになされたものであって、その目的は、釣人が容易且つ迅速に釣れた魚を収容することができる生け簀として使用可能であり、且つ所要時に迅速に排水することができる軽量の釣用バッグを提供することである。
【課題を解決するための手段】
【０００９】
(1) 本発明に係る釣用バッグは、上面に開口が設けられ且つ当該開口と連通する収容室が区画された容器状のバッグ本体と、上記上面の長手方向に沿ってヒンジが形成され、当該上面を短手方向に開閉する可撓性を備えた外蓋と、上記開口を開閉する内蓋とを有する。上記外蓋の長手方向に沿って当該外蓋が折り曲げられるための凹条が形成されると共に当該外蓋が折り曲げられた状態を維持する折曲保持部が設けられている。さらに、上記内蓋にスライドファスナーを介して開閉される曲線形状の切欠部が形成されており、上記内蓋の一部は通水性のあるメッシュ構造を有する。
【００１０】
この発明では、釣用バッグの構造が上記バッグ本体、内蓋及び可撓性を備えた外蓋からなる簡易なものであるから、当該釣用バッグの軽量化が容易に実現される。
【００１１】
外蓋は、上記バッグ本体の長手方向を回動中心として短手方向に俯仰することにより開閉される。したがって、外蓋は迅速に上記バッグ本体の開口を開閉することができる。外蓋は可撓性を備えているので、上記バッグ本体の上方に捲り上げるようにして簡単に上記開口を開放することができる。しかも、この外蓋に上記凹条が形成されているから、当該外蓋は当該凹条にで折り曲げられ、且つ上記折曲保持部によって当該折り曲げられた状態が維持される。つまり、外蓋はフラップ状に上記開口を全開あるいは全閉するのではなく、折り曲げられることにより、上記開口の一部のみを開放し且つ安定的に上記バッグ本体の上面に載置されることになる。
【００１２】
内蓋が閉じられることにより上記開口が閉塞される。その一方で、この内蓋に切欠部が設けられているから、釣人は、上記スライドファスナーを操作することによって当該内蓋に上記収容室に連通する連通孔を形成することができる。そして、釣れた魚は、この連通孔を通じて上記収容室に入れられる。上記切欠部が曲線状に形成されているから、当該切欠部が開放されることにより、当該切欠部を境界として内蓋の一部が上記収容室内へ垂下する。したがって、釣れた魚は、上記切欠部上に載置されるだけで、垂下した内蓋に案内されながら上記収容室へ落下する。
【００１３】
上記内蓋の一部がメッシュ構造であるから、当該内蓋が閉じられた状態で上記バッグ本体が傾けられるだけで、上記収容室から容易に排水される。
【００１４】
(2) 上記凹条が上記外蓋の短手方向に複数並設されており、少なくとも短手方向長さの１／４及び１／２の位置に配置されているのが好ましい。
【００１５】
この構成によれば、上記外蓋は、上記バッグ本体の上面の１／４あるいは１／２を安定的に開放することができる。したがって、強風時でも外蓋が煽られることが確実に防止されるという利点がある。
【００１６】
(3) 上記外蓋の周縁部にパイピング加工が施されていてもよい。
【００１７】
これにより、外蓋の周縁部の剛性が向上する。したがって、外蓋によってバッグ本体の開口を開閉する際に、当該外蓋の取り扱いがし易くなる。
【００１８】
(4) 上記凹条は、プレス加工により上記外蓋の長手方向一端から他端まで形成されているのが好ましい。
【００１９】
これにより、上記凹条が簡単且つ安価に形成される。
【００２０】
(5) 上記凹条の端部に発生する応力集中を緩和するための湾曲部が上記外蓋の縁部に形成されているのが好ましい。
【００２１】
このような湾曲部が形成されることにより、実釣において外蓋が裂けてしまうことが防止される。つまり、外蓋の耐久性が向上する。
【００２２】
(6) 上記折曲保持部は、上記外蓋に設けられたスナップであるのが好ましい。
【００２３】
この構成では、釣人は、上記スナップによって上記外蓋を簡単に折り曲げた状態に維持することができる。しかも、折曲保持部が安価に構成される。
【００２４】
(7) 上記切欠部は、上記短手方向に湾曲しつつ上記長手方向の全域に延びる円弧状に形成されているのが好ましい。上記スライドファスナーは、複数のスライダーを備えていてもよい。
【００２５】
この構成では、上記スライドファスナーを全開にすれば、上記切欠部によって内蓋が大きく開き下方へ垂下する。また、スライダーが複数設けられているから、釣人は、上記切欠部の意図する部位のみを開くこともできる。したがって、釣れた魚のサイズに合わせて切欠部の開放の程度を調整することができ、容易に且つ簡単に魚を上記収容室へ入れることができる。
【００２６】
(8) 上記内蓋は、スライドファスナーを介して上記バッグ本体に取り付けられており、上記開口を閉じた状態で上記バッグ本体の上面から上記収容室の内奥部に入り込んだ位置に配置されているのが好ましい。その場合、上記長手方向に沿って上記内蓋にメジャーが表示されているのが好ましい。
【００２７】
この構成では、内蓋が上記開口よりも下がっているので、当該内蓋によって上記開口付近に段差部が形成される。釣人は釣れた魚をこの段差部に一旦載置して、上記メジャーによって魚のサイズを計測することができる。したがって、たとえば競技釣りにおいて、釣人は、釣れた魚が規定サイズであるかどうかの確認を容易に行うことができる。
【発明の効果】
【００２８】
外蓋がバッグ本体の上面に安定的に載置されながら、外蓋の一部が開放されて内蓋の切欠部が露出するので、釣人は、釣れた魚を内蓋の切欠部を通じて容易にバッグ本体の収容室へ収容することができる。しかも、外蓋は、その一部が開放された状態が維持されるので、たとえば実釣において強風が吹いた場合であっても、外蓋が風に煽られることはない。さらに、内蓋に設けられた切欠部が曲線状を呈することから当該内蓋の一部が魚の案内板として機能する。このため、釣人が魚を片手で簡単にバッグ本体内に収容することができる。すなわち、本発明に係る釣用バッグは、釣人が簡単に釣れた魚を収容することができる生け簀として使用可能であり、しかも、軽量である。加えて、内蓋の一部がメッシュ構造であるから、所要時に（たとえば帰港時に）迅速に排水も可能である。
【図面の簡単な説明】
【００２９】
【図１】図１は、本発明の一実施形態に係る釣用バッグ１０の斜視図である。
【図２】図２は、釣用バッグ１０の斜視図である。
【図３】図３は、釣用バッグ１０の斜視図である。
【図４】図４は、図１におけるIV−IV断面図である。
【図５】図５は、釣用バッグ１０の把手２２の斜視図である。
【図６】図６は、釣用バッグ１０の拡大平面図である。
【図７】図７は、図６におけるVII−VII断面図である。
【図８】図８は、釣用バッグ１０の外蓋１４の要部拡大斜視図である。
【図９】図９は、図２の要部拡大斜視図である。
【図１０】図１０は、図９におけるＸ−矢視図である。
【図１１】図１１は、従来の釣用バッグの外観図である。
【発明を実施するための形態】
【００３０】
以下、本発明の好ましい実施形態が、適宜図面が参照されながら説明される。
【００３１】
図１は、本発明の一実施形態に係る釣用バッグ１０の斜視図である。図２は、釣用バッグ１０の外蓋１４が開放された状態における当該釣用バッグ１０の斜視図である。図３は、釣用バッグ１０の内蓋１５が開放された状態における当該釣用バッグ１０の斜視図である。
【００３２】
釣用バッグ１０は、バッグ本体１１を備えている。このバッグ本体１１は、直方体容器状に形成されている。バッグ本体１１の上面１２は開放されており、当該上面１２に開口１３が形成されている。図２が示すようにバッグ本体１１に後に詳述される外蓋１４が設けられており、図３が示すようにバッグ本体１１に内蓋１５が設けられている。
【００３３】
釣用バッグ１０は、例えば競技磯釣りの際に使用され、釣れた魚を生かしておくための生け簀として機能する。もっとも、釣用リール、浮子、錘その他の釣道具のほか釣餌等も収容される。本実施形態に係る釣用バッグ１０の特徴とするところは、上記外蓋１４及び内蓋１５の構造である。具体的には、外蓋１４が後述のように簡単に折り曲げられてバッグ本体１１上に安定的に載置される点、及び内蓋１５が後述される曲線状の切欠部１６を備えている点がポイントであり、これにより、釣用バッグ１０は、釣場において軽量で使い勝手に優れた生け簀として使用され得るようになっている。以下、釣用バッグ１０の構造について詳述される。
【００３４】
バッグ本体１１は、矩形の底面部１７と、この底面部１７の周縁に立設された側壁部１８とを備えており、上面１２に矩形の開口１３が形成されている。この開口１３に連続してバッグ本体１１の内部に収容室３７（図３参照）が区画されている。実釣において釣れた魚は、この収容室３７に収容される。この開口１３が矩形に形成されることにより、バッグ本体１１の剛性が向上し、釣用バッグ１０の使い勝手が向上する。
【００３５】
これら底面部１７及び側壁部１８は、シート状の合成樹脂から構成されている。合成樹脂としては、例えば、エチレン酢酸ビニル共重合体（ＥＶＡ）が好適に採用される。底面部１７の肉厚寸法は、０．５ｍｍ〜３．０ｍｍ程度に設定され、側壁部１８の肉厚寸法も、０．７５ｍｍ〜２．０ｍｍ程度に設定され得る。側壁部１８は、シート状の合成樹脂が筒状に形成され、その下端部が上記底面部１７の周縁部に溶着されることによって形成されている。
【００３６】
バッグ本体１１にエアポンプホルダー２６及びサブバッグ２７が設けられている。エアポンプホルダー２６は、図示されていないエアポンプを収容することができる。エアポンプホルダー２６は、スライドファスナー２８を介して開閉される。本実施形態では、２台のエアポンプがエアポンプホルダー２６に収容されるようになっている。エアポンプホルダー２６に貫通孔２９が設けられており、エアポンプに接続されたチューブが、貫通孔２９を通じて外部に導かれるようになっている。一方、バッグ本体１１にも貫通孔３３、３４が設けられている。上記チューブは、貫通孔３３、３４に挿通され、エアポンプから空気がバッグ本体１１の内部（収容室３７）に供給されるようになっている。これにより、この釣用バッグ１０は、釣れた魚を生かしておく生け簀として使用され得る。また、サブバッグ２７は筒状に形成されており、上面が開放されている。実釣において釣人は、このサブバッグ２７に釣竿、柄杓その他の道具を収納ないし係止することができる。なお、エアポンプホルダー２６及びサブバッグ２７は、シート状の合成樹脂から構成されている。合成樹脂としては、例えば、エチレン酢酸ビニル共重合体（ＥＶＡ）が好適に採用される。そして、これらは溶着等によりバッグ本体１１に固着されている。
【００３７】
図４は、図１におけるIV−IV断面図である。同図は、バッグ本体１１の上部の構造並びに外蓋１４及び内蓋１５の取付構造を示している。
【００３８】
同図が示すように、上記側壁部１８の上端部１９は、バッグ本体１１の外側に折り返されており、所定位置２０において当該側壁部１８に溶着されている。この上端部１９は、バッグ本体１１の周囲全体にわたって連続して溶着されていてもよいし、間欠的に溶着されていてもよい。また、本実施形態では、上記側壁部１８の上端部１９は、芯材２１に巻き掛けられている。この芯材２１は、環状に形成されており、上記開口１３の周縁部に沿って配置されている。すなわち、この芯材２１が上記開口１３を区画している。芯材２１は、例えばステンレススチールから構成され得る。この芯材２１が設けられることにより、バッグ本体１１の開口１３の周縁部の剛性が向上し、その結果、バッグ本体１１が生け簀として、また、釣道具の収容容器として一層使い易いものとなる。
【００３９】
図１が示すように、バッグ本体１１は把手２２、２３を備えている。この把手２２、２３は、バッグ本体１１の側壁部１８のうち対向する一対の側面２４に設けられている。把手２２は、取付ステー２５を介してバッグ本体１１の側面２４に取り付けられている。取付ステー２５は、バッグ本体１１の側面２４を補強する板状に形成されている。取付ステー２５は、バッグ本体１１と同様の合成樹脂から構成されている。取付ステー２５中央部にブリッジ部３１が形成されていると共に、両端部に一対の軸受部３２が設けられている。釣人は、このブリッジ部３１にタオルやコマセカッター等を引っ掛けることができる。また、軸受部３２は、リング状に形成されており、後述される把手２２の軸４１（図５参照）を回動自在に支持する。
【００４０】
図５は、上記把手２２の斜視図である。
【００４１】
同図が示すように、把手２２は全体として略Ｕ字状を呈している。この把手２２は、上記取付ステー２５と同様に合成樹脂からなり、例えば射出成形されることによって構成されている。この合成樹脂としては、例えば、ポリプロピレン（ＰＰ）が好適に採用される。把手２２の両端部４０は平板状に形成されている。これら各端部４０の先端に、それぞれ、上記軸４１が形成されている。また、把手２２の中央部４３は長手方向に分割された筒状に形成されている。他方、把手２３も把手２２と同様の形状である。把手２３の両端部４０も平板状に形成されており、各端部４０の先端に上記軸４１が形成されている。把手２３の中央部４３は丸棒状に形成されている。釣人は、把手２２を把手２３の外側から被せるようにして各把手２２、２３を合体させることができる。各把手２２、２３が合体することにより、釣人は、容易に釣用バッグ１０を持ち運びすることができる。
【００４２】
図６は、釣用バッグ１０の拡大平面図である。
【００４３】
図１及び図６が示すように、外蓋１４は、バッグ本体１１の上端に開閉自在に取り付けられている。この外蓋１４は、上記バッグ本体１１と同様にシート状の合成樹脂から構成されており、可撓性を備えている。この合成樹脂としては、例えば、エチレン酢酸ビニル共重合体（ＥＶＡ）が好適に採用される。外蓋１４がＥＶＡからなるときは、外蓋１４の肉厚は、０．５ｍｍ〜３．０ｍｍに設定される。この外蓋１４が閉じられたときは、当該外蓋１４は、バッグ本体１１の上記開口１３を閉塞する。また、図２が示すように外蓋１４が開かれたときは、上記開口１３が開かれ、内蓋１３が露出する。
【００４４】
本実施形態では、この外蓋１４は、図６が示すように矩形の平板状に形成されている。外蓋１４の外形形状は、上記開口１３の周縁形状とほぼ同様である。外蓋１４は、スライドファスナー３０を介してバッグ本体１１に縫い付けられている。図４が示すように、このスライドファスナー３０は、バッグ本体１１の側壁部１８の上端部１９の最縁部２９と、外蓋１４の周縁部３５との間に架け渡すように縫い付けられている。そして、スライダー３６が操作されることによりスライドファスナー３０が開閉され、外蓋１４が開閉されるようになっている。スライドファスナー３０のうち把手２２が設けられている領域３９は、スライダー３６がスライドできない領域となっている。すなわち、本実施形態では、上記領域３９が外蓋１４とバッグ本体１１とを連結するヒンジとして機能する。換言すれば、このヒンジは、図２が示すように、バッグ本体１１の背面側に開口１３の長手方向３８に沿って配置されており、外蓋１４は、当該長手方向３８を回動中心として短手方向４２（図６参照）に開閉する。このように、長手方向３８を中心に外蓋１４が開閉するので、競技において外蓋１４の開閉が容易であるという利点がある。
【００４５】
図７は、図６におけるVII−VII断面図である。
【００４６】
図１及び図６が示すように、外蓋１４に２本の凹条４４、４５が形成されている。この凹条４４、４５は、外蓋１４にプレス加工が施されることにより形成される。凹条４４、４５は、短手方向４２に並設されており、且つ長手方向３８に沿って外蓋１４の一端部から他端部まで延びている。凹条４４は、外蓋１４の中央に長手方向３８に沿って配置され、凹条４５は、外蓋１４の先端５１と凹条４４との間の中央に長手方向３８に沿って配置されている。つまり、凹条４４によって外蓋１４は１／２だけ開けられ、凹条４５によって外蓋１４は１／４だけ開けられる。図７が示すように、凹条４４、４５は、内壁面形状が矩形の溝からなる。この凹条４４、４５が設けられることにより、外蓋１４は、凹条４４、４５において外側に簡単に折り曲げられる。なお、本実施形態では２本の凹条４４、４５が外蓋１４に設けれているが、凹条の数は特に限定されない。なお、上記凹条４４、４５がプレス加工により形成されるから、加工が簡単且つ安価である。
【００４７】
図８は、外蓋１４の要部拡大斜視図である。同図は、上記凹条４４の端部の形状を詳細に示している。
【００４８】
同図が示すように、外蓋１４の周縁部に湾曲部４６が形成されている。この湾曲部４６は、外蓋１４の周縁部で且つ上記凹条４４が交差する部位に形成されている。なお、同様に、外蓋１４の周縁部で且つ上記凹条４５が交差する部位にも湾曲部４６が形成されている。すなわち、外蓋１４の周縁部と凹条４４、４５が交わる部位が円弧状に切り欠かれている。この湾曲部４６が設けられることにより、上記凹条４４、４５も円弧状に切り欠かれており、これにより、凹条４４、４５の端部に発生する応力集中が緩和され、外蓋１４の耐久性が向上する。
【００４９】
図１及び図６が示すように、外蓋１４の上面にスナップ４７（特許請求の範囲に記載された「折曲保持部」に相当）が設けられている。このスナップ４７は、外蓋１４が上記凹条４４、４５にて折り曲げられたときに、当該折曲状態を維持する。
【００５０】
本実施形態では、スナップ４７は、一対のスタッド４８と二対のソケット４９、５０とを備えている。スタッド４８は、図６が示すように、外蓋１４の先端側の角部に配置されている。ソケット４９は、外蓋１４が凹条４５にて折り返された状態でスタッド４８が対向する位置に配置されている。外蓋１４が凹条４５にて折り返されると、スタッド４８がソケット４９と嵌合し、これにより、外蓋１４は１／４だけ折り返された状態で維持される。また、外蓋１４が凹条４４にて折り返されると、スタッド４８がソケット５０と嵌合し、これにより、外蓋１４は１／２だけ折り返された状態で維持される。
【００５１】
図９は、図２の要部拡大斜視図であり、内蓋１５の取付構造を詳細に示している。また、図１０は、図９におけるＸ−矢視図であり、内蓋１５を詳細に示している。
【００５２】
これらの図が示すように、内蓋１５は、バッグ本体１１の開口１３の周縁部の内側に配置されており、バッグ本体１１に対して開閉自在に取り付けられている。この内蓋１５は、スライドファスナー５２を介してバッグ本体１１に縫い付けられている。内蓋１５は、合成樹脂からなるシート状に形成されており、可撓性を備えている。この合成樹脂としては、例えば、エチレン酢酸ビニル共重合体（ＥＶＡ）が好適に採用される。内蓋１５の肉厚は、０．５ｍｍ〜３．０ｍｍに設定される。
【００５３】
スライドファスナー５２は、内蓋１５の縁部５３と、バッグ本体１１の側壁部１８との間に架け渡すように縫い付けられている。すなわち、図４が示すように、スライドファスナー５２の一方側は、上記側壁部１８の溶着位置（上記所定位置２０）よりも上方に縫い付けられており、他方側が上記内蓋１５の縁部５３に縫い付けられている。そして、スライダー５４が操作されることによりスライドファスナー５２が開閉され、内蓋１５が開閉されるようになっている（図２及び図３参照）。なお、スライドファスナー５２の一方側が、上記側壁部１８の溶着位置（上記所定位置２０）よりも下方に縫い付けられる場合もある。
【００５４】
本実施形態では、図９が示すように、内蓋１５がバッグ本体１１の開口１３を閉じた状態で、当該内蓋１５がバッグ本体１１の内部に落ち込んだ状態となる。すなわち、内蓋１５は、上記開口１３を閉塞した状態で、バッグ本体１１の上面１２から寸法Ｈだけ収容室３７（図３参照）の内奥部に入り込んだ位置に配置される。
【００５５】
図１０が示すように、内蓋１５に切欠部１６が形成されている。この切欠部１６は、内蓋１５が曲線状に切開されることにより構成されている。この切欠部１６にスライドファスナー５６が設けられており、スライドファスナー５６が操作されることにより切欠部１６が開閉される。本実施形態では、切欠部１６は円弧状に形成されており、同図が示すように、短手方向４２に湾曲しつつ長手方向３８の全域に延びている。そして、切欠部１６の両端部は、内蓋１５の両角部まで達している。このスライドファスナー５６は、２つのスライダー５７を備えている。もっとも、スライダー５７の数は特に限定されず、複数であればよい。複数のスライダー５７が設けられることにより、切欠部１６のうち釣人が所望する位置に所望する大きさの開口を形成することができる。
【００５６】
本実施形態では、内蓋１５の一部の領域がメッシュ構造となっている。この一部の領域とは、図１０が示すように、上記切欠部１６と内蓋１５の前縁５８とにより囲まれる領域である。この領域において内蓋１５は、格子状に編まれたコア部材（典型的には綿糸やナイロン糸）に、ポリ塩化ビニル（ＰＶＣ）等の樹脂やラバー等がコーティングされたものからなる。内蓋１５の当該領域は、通水性に優れ、きわめて可撓性に富む。
【００５７】
また、図１０が示すように、内蓋１５の上面にメジャー５９が表示されている。メジャー５９は、長手方向３８に沿って表示されている。釣人は、このメジャー５９を利用して、釣れた魚のサイズを直ちに計ることができる。
【００５８】
次に、本実施形態に係る釣用バッグ１０は、次のようにして使用される。
【００５９】
この釣用バッグ１０は、前述のように釣道具等の収納ケースとして使用されるほか、実釣において釣れた魚を生かしておく生け簀としても使用される。釣人は、バッグ本体１１内の収容室３７に予め海水を入れておくことができ、エアポンプを使用することにより常に収容室３７内の海水に空気を送ることができる。釣れた魚は、上記収容室３７に投入される。図２が示すように内蓋１３が閉じられると、バッグ本体１１の開口１３が閉塞されるので、釣れた魚はバッグ本体１１内で生かされる。釣人は、釣りが終了するまで適宜海水を入れ換えることにより魚を生かしておくことができる。このとき、内蓋１３はメッシュ生地からなるので、内蓋１３が閉じられた状態でも海水を注ぎ足すことができるし、内蓋１３がが閉じられた状態であっても、釣人は、外蓋１２を開けてバッグ本体１１を傾けることによって簡単に排水することができる。しかも、釣用バッグ１０は、前述のように合成樹脂のシートから構成されるので、非常に軽量であるという利点がある。
【００６０】
外蓋１４は、図２が示すように開閉される。すなわち、外蓋１４は、バッグ本体１１の長手方向３８を回動中心として俯仰する。したがって、釣人は、外蓋１４を回動させることにより、迅速にバッグ本体１１の開口１３を開閉することができる。外蓋１４は可撓性を備えているので、釣人は、外蓋１４をバッグ本体１４の上方に捲り上げるだけで簡単に上記開口１３を開放することもできる。本実施形態では、外蓋１４は凹条４４、４５にて折り曲げられ、しかも、スナップ４７によって当該折り曲げられた状態が維持される。特に、本実施形態では外蓋１４がスライドファスナー３０によって開閉されるから、外蓋１４が折り曲げられた状態でスライドファスナー３０が当該折曲部分まで閉じられると、より一層外蓋１４がバッグ本体１１上で安定する。つまり、外蓋１４はフラップ状に上記開口１３を全開あるいは全閉するのではなく、折り曲げられることにより、上記開口１３の１／２あるいは１／４のみを開放し且つ安定的にバッグ本体１１の上面１２に載置される。
【００６１】
魚が釣れた場合、釣人は、内蓋１５のスライドファスナー５６を操作することによって切欠部１６を開くことができる。切欠部１６が開かれることにより、内蓋１５に上記収容室３７に連通する連通口が形成される。釣れた魚は、切欠部１６を通じて上記収容室３７に入れられる。本実施形態では、切欠部１６が曲線状に形成されているから、当該切欠部１６が開かれると、当該切欠部１６を境界として内蓋１５の一部が上記収容室３７内へ垂れ下がる。したがって、釣れた魚が切欠部１６上に載置されるだけで、垂下した内蓋１５に案内されるようにして上記収容室３７へ落下する。
【００６２】
このように本実施形態に係る釣用バッグ１０では、外蓋１４が１／４乃至１／２だけ折り返された状態でバッグ本体１１の上面に安定的に載置され、たとえば実釣において強風が吹いた場合であっても風に煽られることがないので、釣人は、釣れた魚を内蓋１５の切欠部１６を通じて容易且つ迅速にバッグ本体１１内へ収容することができる。しかも、上記切欠部１６により内蓋１５の一部が魚の案内板として機能するから、釣人は、魚を片手で簡単にバッグ本体１１内に収容することができる。
【００６３】
本実施形態では、内蓋１５の切欠部１６は円弧状に湾曲しつつ長手方向３８の全域に延びており、しかも、スライドファスナー５６は複数のスライダー５７を備えている。したがって、スライドファスナー５６を全開にすれば、内蓋１５が大きく開いて下方へ垂下する一方で、釣人は、スライダー５７を操作することにより切欠部１６のうち意図する部位のみを開くこともできる。したがって、釣れた魚のサイズに合わせて切欠部１６の開放の程度が調整され、より一層簡単に魚をバッグ本体１１内へ入れることができる。
【００６４】
さらに、図９が示すように、内蓋１５がバッグ本体１１の開口１３よりも高さＨだけ下がっているので、内蓋１５によって上記開口１３付近に段差部が形成される。釣人は釣れた魚をこの段差部に一旦載置し、メジャー５９を用いて魚のサイズを安定的に計測することができる。したがって、たとえば競技磯釣りにおいて、釣人は、釣れた魚が規定サイズであるかどうかの確認を容易に行うことができる。
【００６５】
加えて、本実施形態では、外蓋１４は前述の肉厚の樹脂シートから構成されているが、この外蓋１４の周縁部にパイピング加工が施されていてもよい。これにより、外蓋１４の周縁部の剛性が向上し、外蓋１４の取り扱いがし易くなるという利点がある。
【符号の説明】
【００６６】
１０・・・釣用バッグ
１１・・・バッグ本体
１２・・・上面
１３・・・開口
１４・・・外蓋
１５・・・内蓋
１６・・・切欠部
３０・・・スライドファスナー
３６・・・スライダー
３７・・・収容室
３８・・・長手方向
４４・・・凹条
４５・・・凹条
４６・・・湾曲部
４７・・・スナップ
４８・・・スタッド
４９・・・ソケット
５０・・・ソケット
５２・・・スライドファスナー
５３・・・縁部
５４・・・スライダー
５６・・・スライドファスナー
５７・・・スライダー
５８・・・前縁
５９・・・メジャー
【図１】
2014155478.tif 000003
【図２】
2014155478.tif 000004
【図３】
2014155478.tif 000005
【図４】
2014155478.tif 000006
【図５】
2014155478.tif 000007
【図６】
2014155478.tif 000008
【図７】
2014155478.tif 000009
【図８】
2014155478.tif 000010
【図９】
2014155478.tif 000011
【図１０】
2014155478.tif 000012
【図１１】
2014155478.tif 000013